Podtech/llm-jp-corpus-v4-ja_patent huggingface dataset:
(57)【要約】      （修正有）【課題】目的地まで運転手の通りたい任意の順路を辿って案内してくれる機能を持つカ−ナビゲ−ションシステムを提供する。【解決手段】運転手が出発点から到達点まで走行した順路を記録し、以降もその順路通りに、順路案内できたり、到達点から出発点に向かって逆に順路案内するために前記順路の情報を呼び出す制御部、及び、呼び出された前記順路の情報を表示する表示部を備えたことを特徴とし、順路を記録できる。【選択図】図１
0003199455.tif 000002
【実用新案登録請求の範囲】
【請求項１】
カ−ナビゲ−ションシステムに運転手が目的地まで辿りたい任意の順路を記録できる装置を設け、記録された前記任意の順路を呼出し、案内させることを特徴とする順路を記録できるカ−ナビゲ−ションシステム。
【考案の詳細な説明】
【技術分野】
【０００１】  本考案は、目的地への任意の順路を記録できる機能を付属させたカ−ナビゲ−ションシステムに関するものである。
【背景技術】
【０００２】  従来目的地をカ−ナビゲ−ションシステムが案内する場合、スタンダ−ドな経路を案内し、個人的に通りたい順路を案内できなかった。
【考案の概要】
【考案が解決しようとする課題】
【０００３】  目的地まで個人的に見付けた通りたい順路を案内してくれる機能を持つカ−ナビゲ−ションシステムを提供する。
【課題を解決するための手段】
【０００４】  本考案は、目的地まで行くための、自分で見付けた新しい順路をカ−ナビゲ−ションシステムに記録しておき、次回その記録された順路に従って、カ−ナビゲ−ションシステムに案内させる。
【考案の効果】
【０００５】  目的地への順路を、他人の運転する車の後続にてトレ−スして教えてもらう場合、その順路をカ−ナビゲ−ションシステムに記録しておけば、次回自分で運転して目的地へ行く場合、正確に辿ることができる。又、目的地まで家族等に運転してもらって記録した順路を次回から自分が正確に辿ることができる。さらに、自分で見付けた、近道や寄りたい店などを辿って目的地までいくオ−ダ−メイドの順路を記録させることもできる。
【図面の簡単な説明】
【０００６】
【図１】カ−ナビゲ−ションシステム本体と記録、呼出し、案内ボタン
【考案を実施するための形態】
【０００７】  カ−ナビゲ−ションシステムに目的地までの順路を記録する機能を付属させる。前記順路を記録する機能は、カ−ナビゲ−ションシステムの本体につけられた記録ボタンの操作によって起動する。次に前記順路を辿るには、記録された前記順路を呼出し、案内ボタンを操作することによって起動する。
【実施例】
【０００８】  以下添付図に従って、一実施例を説明する。１はカ−ナビゲ−ションシステムの本体であり２の順路を記録するボタンによって記録したい順路を記録し目的地に着いた時点で記録ボタンを切る。【０００９】  使用者が、記録された順路を辿り、目的地へ行きたい場合は、３の順路呼出しボタンにより順路を呼出し、４の案内ボタンを操作することによって目的地への案内を使用者の選択した順路を通ってカ−ナビゲ−ションシステムにさせる。【００１０】  トラブル等を防ぐため、順路を記録する場合パスワ−ド等の保護機能を施す。
【符号の説明】
【００１１】１カ−ナビゲ−ションシステム本体２順路を記録するボタン３順路呼出しボタン４案内ボタン
【図１】
0003199455.tif 000003
【手続補正書】
【提出日】平成27年3月16日(2015.3.16)
【手続補正１】
【補正対象書類名】実用新案登録請求の範囲
【補正対象項目名】全文
【補正方法】変更
【補正の内容】
【実用新案登録請求の範囲】
【請求項１】
運転手が出発点から到達点まで走行した順路を記録し、以降もその順路通りに、順路案内できたり、到達点から出発点に向かって逆に順路案内できることを特徴とする順路を記録できるカーナビゲーションシステム。
【手続補正書】
【提出日】平成27年5月26日(2015.5.26)
【手続補正１】
【補正対象書類名】実用新案登録請求の範囲
【補正対象項目名】全文
【補正方法】変更
【補正の内容】
【実用新案登録請求の範囲】
【請求項１】
運転手が出発点から到達点まで走行した順路を記録し、以降もその順路通りに、順路案内できたり、到達点から出発点に向かって逆に順路案内するために前記順路の情報を呼び出す制御部、及び、呼び出された前記順路の情報を表示する表示部を備えたことを特徴とする順路を記録できるカーナビゲーションシステム。
(57)【要約】      （修正有）【課題】アクセルとブレーキの踏み違いによる事故を防ぐストッパーの付いたアクセルを提供する。【解決手段】アクセルの下にストッパー７を設ける。シフトレバー１をバックＲ又はドライブＤに入れると，コブのあるアームが押されワイヤー４で繋がるストッパー７が立ってアクセルの踏み込みを制限する。低速時又は，バック時，誤ってブレーキ１０のつもりでアクセルを踏んだ時，ストッパー７に当たり踏み込めず，慌てずブレーキ１０を踏み直すことができる。【選択図】図１
0003199457.tif 000002
【実用新案登録請求の範囲】
【請求項１】
アクセルの下にストッパーを設けシフトレバーをバック又はドライブに入れると，ストッパーが立ちアクセルの踏み込みを制限する。
【考案の詳細な説明】
【考案の詳細な説明】
【考案が解決しようとする課題】
【０００１】  従来，アクセルに制限は無かった，そのため誤ってペタルを踏み込み，瞬間，間違いに気づき咄嗟に踏み直すが，ペタルを踏んだと同時に，エンジンが唸りタイヤが悲嗚を挙げ車がスッ飛んだ，狭い所では事故は間逃れない。
【課題を解決するための手段】
【０００２】  アクセルの下にストッパーを設けバックの時，前進の時，ストッパーを立てアクセルの踏み込みを制限する。
【考案の効果】
【０００３】  バックの時，間違ってアクセルを踏んでも，車は動かず。（急坂は外す）前進の時，通常は不要。（狭い道，人混みの時使用）
【図面の簡単な説明】
【図１】  シフトレバーとコブの付いたバック用のアーム１とコブの付いたドライブ用のアーム２の二本と，ストッパーを繋ぐワイヤーの斜視図である。
【図２】  シフトレバーをバックに入れると，バック用のアーム１が動きストッパーを引き立て，アクセルの踏み込みを制限した斜視図である。（シフトレバーをドライブに入れればもアーム２も同じ動きをする）
【図３】  シフトレバーをドライブに入れ，ドライブ用のアーム２の先端を立たせ，ワイヤーに緩みを持たせた，ストッパーが倒れた儘の斜視図である。（シフトレバーをバックにアーム１の先端を立たせストッパーは倒れた儘）
【図４】  アクセルの踏み込みを，ストッパーが立って制限する右側面図である。
【符号の説明】１      シフトレバー
２      バック用のコブの付いたアーム
３      ドライブ用のコブの付いたアーム
４      ワイヤー
５      バック用のアームの先端が起きて繋がるワイヤーが緩む
６      ドライブ用のアームの先端が起きて繋がるワイヤーが縮む
７      ストッパー
８      スプリング
９      アクセル
１０    ブレーキ
【図１】
0003199457.tif 000003
【図２】
0003199457.tif 000004
【図３】
0003199457.tif 000005
【図４】
0003199457.tif 000006
【手続補正書】
【提出日】平成27年6月3日(2015.6.3)
【手続補正１】
【補正対象書類名】実用新案登録請求の範囲
【補正対象項目名】全文
【補正方法】変更
【補正の内容】
【実用新案登録請求の範囲】
【請求項１】
シフトレバー１をバック２に入れると，コブのあるアーム３が押されワイヤー４で繋がるストッパー５が立ってアクセル６の踏み込みを制限することを特徴とするストッパー５の付いたアクセル６。
【請求項２】
シフトレバー１をドライブ７に入れると，コブのあるアーム８が押されワイヤー４で繋がるストッパー５が立ってアクセル６の踏み込みを制限することを特徴とするストッパー５の付いたアクセル６。
(57)【要約】      （修正有）【課題】健康管理のための体重や体組成などの身体情報を容易に測定する事ができる体重体組成測定機能付き温水洗浄便座を提供する。【解決手段】温水洗浄便座１に体重体組成を測定する機能を組み合わせて追加し、温水洗浄便座１を使用することにより体重や体組成を測定する事ができる。具体的な構成は、便座部分に体重体組成の測定装置を組み込んで体重体組成を測定し、測定された情報を温水洗浄便座のコントロールパネル４に表示させる。【選択図】図１
0003199459.tif 000002
【実用新案登録請求の範囲】
【請求項１】
従来の温水洗浄便座に体重体組成を計測する機能を組み合わせて追加し、温水洗浄便座を使用することにより体重や体組成を測定する事ができる体重体組成測定機能付き温水洗浄便座。
【考案の詳細な説明】
【技術分野】
【０００１】本考案は、従来の温水洗浄便座に体重と体組成を測定する機能を組み合わせて追加した体重体組成測定機能付き温水洗浄便座に関するものです。
【背景技術】
【０００２】従来の温水洗浄便座には、体重や体組成などの健康管理に役立つ身体情報を測定する機能が付いておりませんでした。
【考案の概要】
【考案が解決しようとする課題】
【０００３】健康管理のための身体情報を日常的に測定するために、人々が日常的に使用する温水洗浄便座に体重や体組成が測定できる機能を組み合わせて追加することにより、これまで一般に個別単体として存在していた体重計や体組成計を使用することなく、人々の健康管理のための身体情報を手軽に測定しようとするものです。
【課題を解決するための手段】
【０００４】本考案は、従来の温水洗浄便座に体重計や体組成計の機能を組み合わせて追加することにより、日常的に健康管理のための身体情報を得ることができる機能を持つ体重体組成測定機能付き温水洗浄便座を作る事を可能にしています。
【考案の効果】
【０００５】これまで一般に個別単体の状態で存在していた体重計や体組成計を使用しなくても、本考案の体重体組成測定機能付き温水洗浄便座を使用することにより健康管理のための体重や体組成などの身体情報を計測する事が可能になります。
【図面の簡単な説明】
【０００６】
【図１】体重体組成測定機能は、従来の温水洗浄便座に組み合わせて追加する機能であり、様々な形状の組み合わせ方法が考えられますので、特定の体重体組成測定機能付き温水洗浄便座の図面はありません。
0003199459.tif 000003
【手続補正書】
【提出日】平成27年6月8日(2015.6.8)
【手続補正１】
【補正対象書類名】実用新案登録請求の範囲
【補正対象項目名】全文
【補正方法】変更
【補正の内容】
【実用新案登録請求の範囲】
【請求項１】
温水洗浄便座に体重体組成を測定する機能を組み合わせて追加し、温水洗浄便座を使用することにより体重や体組成を測定する事ができる体重体組成測定機能付き温水洗浄便座であり、具体的な構成は、便座部分に体重体組成の測定装置を組み込んで体重体組成を測定し、測定された情報を温水洗浄便座のコントロールパネルに表示させるものです。
【手続補正２】
【補正対象書類名】図面
【補正対象項目名】全図
【補正方法】変更
【補正の内容】
【図１】
0003199459.tif 000004
【手続補正３】
【補正対象書類名】明細書
【補正対象項目名】全文
【補正方法】変更
【補正の内容】
【考案の詳細な説明】
【技術分野】
【０００１】本考案は、従来の温水洗浄便座に体重と体組成を測定する機能を組み合わせて追加した体重体組成測定機能付き温水洗浄便座に関するものです。
【背景技術】
【０００２】従来の温水洗浄便座には、体重や体組成などの健康管理に役立つ身体情報を測定する機能が付いておりませんでした。
【考案の概要】
【考案が解決しようとする課題】
【０００３】健康管理のための身体情報を日常的に測定するために、人々が日常的に使用する温水洗浄便座に体重や体組成が測定できる機能を組み合わせて追加することにより、これまで一般に個別単位として存在していた体重計や体組成計を使用することなく、人々の健康管理のための身体情報を手軽に測定しようとするものです。
【課題を解決するための手段】
【０００４】本考案は、従来の温水洗浄便座に体重計や体組成計の機能を組み合わせて追加することにより、日常的に健康管理のための身体情報を得ることができる機能を持つ体重体組成測定機能付き温水洗浄便座を作る事を可能にしています。
【考案の効果】
【０００５】これまで一般に個別単位の状態で存在していた体重計や体組成計を使用しなくても、本考案の体重体組成測定機能付き温水洗浄便座を使用することにより健康管理のための体重や体組成などの身体情報を計測する事が可能になります。
【図面の簡単な説明】
【０００６】
【図１】図１は、温水洗浄便座の付いた便器と温水洗浄便座のコントロールパネルのイメージを表しますが、１の温水洗浄便座に体重体組成測定器を組み込んで装備し、体重体組成を測定し、体重体組成の測定結果をコントロールパネルに表示します。
【符号の説明】
【０００７】  １  温水洗浄便座
２  便器
３  温水洗浄便座の蓋
４  温水洗浄便座のコントロールパネル
(57)【要約】      （修正有）【課題】強固に固定されたボルトやネジに対してでも、必要以上の握力を用いることなく、簡単にドライバーの操作を行うことができる操作補助具を提供する。【解決手段】操作補助具１は、円柱形の外観を備えた本体胴部１ａと、本体胴部の中央にドライバー工具の把持部１０ａの外周形状に沿って且つ把持部の外径よりも若干小さな内径を有する貫通孔を備え、貫通孔は、把持部を圧入させると共に軸方向の回転に抗して密着係止させる程度の大きさで且つ適宜な弾性変形が可能な素材で形成する。【選択図】図４
0003199460.tif 000002
【実用新案登録請求の範囲】
【請求項１】
円柱形の外観を備えた本体胴部と、該本体胴部の中央にドライバー工具の把持部の外周形状に沿って且つ該把持部の外径よりも若干小さな内径とした貫通孔を備え、該貫通孔は、把持部を圧入させると共に軸方向の回転に抗して密着係止させる程度の大きさで且つ適宜な弾性変形が可能な素材で形成したことを特徴とするドライバーの操作補助具。
【請求項２】
前記本体胴部の外周面には凹陥部が設けられたことを特徴とする請求項１記載のドライバーの操作補助具。
【考案の詳細な説明】
【技術分野】
【０００１】  本考案はドライバーの根元にある把持部に圧入する貫通孔を設けた操作補助具に関するものであり、操作補助具を保持した状態で作業をすることで、必要以上の力をかけずにスムーズに回転作業をすることができるドライバーの操作補助具に関するものである。
【背景技術】
【０００２】一般に、ドライバーを使用する際には、ドライバーの根元に取り付けられ、先端の軸よりもやや外径の大きなプラスチック製の把持部を握って作業をする。このため、作業対象のボルトやネジが強固に固定されてたり、古くなって錆びついて劣化している場合等には、かなりの握力と押し付け力を必要とする場合がある。そのため、日常的に作業をしない者にとっては、極めて作業しずらい場合がある等の問題があった。
【考案が解決しようとする課題】
【０００３】  本考案は、上記の様な場合でも、必要以上の握力や押し付け力を用いることなく、手軽にボルトやネジ外し作業が行えるドライバー用の操作補助具を提供するものである。
【課題を解決するための手段】
【０００４】本考案は上述の課題を解決するために、円柱形の外観を備えた本体胴部と、該本体胴部の中央にドライバー工具の把持部の外周形状に沿って且つ該把持部の外径よりも若干小さな内径とした貫通孔を備え、該貫通孔は、把持部を圧入させると共に軸方向の回転に抗して密着係止させる程度の大きさで且つ適宜な弾性変形が可能な素材で形成したことを特徴とするものである。
【実施例】以下、図面を基に本考案の実施例を具体的に説明する。
図１は、本考案のドライバーの操作補助具を示す平面図であり、図２は、本考案のドライバーの操作補助具を示す側面図であり、図３は、本考案のドライバーの操作補助具を示す側面断面図であり、図４は、本考案のドライバーの操作補助具の使用状態を示す説明面である。【０００５】  本考案に係るドライバーの操作補助具は、図１乃至図４に示すように、円柱形の外観を備えた本体胴部１ａを有する。この本体胴部１ａは、手のひらで包み込むようにして把持することが可能な大きさを有しており、ゴム材料等で形成される。【０００６】  前記本体胴部１ａの中央には、ドライバー工具１０の把持部１０ａの外周形状に沿って且つ該把持部１０ａの外径よりも若干小さな内径とした貫通孔１ｂが備えられている。該貫通孔１ｂは、略円柱状に設けられているが、把持部１０ａの圧入方向に沿ってテーパー状に設けても良い。【０００７】  そして、使用する際には、図４に図示のごとく、前記貫通孔１ｂに、把持部１０ａを圧入させると共に軸方向の回転に抗して密着係止させる。【０００８】  尚、前記本体胴部１ａの外周面には指をフィットさせるための凹陥部１ｃが設けられている。この凹陥部１ｃは、実施例では、軸方向に沿って設けらているが、その他の形態であっても構わない。【０００９】  本考案は、操作補助具１の本体胴部１ａを把持し、回転させることで、ドライバー工具１を簡単に回転操作することが可能である。
【考案の効果】
【００１０】本考案によれば、ドライバーの操作補助具をドライバーの把持部に装着するだけで、作業者は、操作補助具の円柱形の本体胴部を握って回転させることで、握力の弱い人や押し付け力の弱い人でも簡単に回転操作をすることができる。
【図面の簡単な説明】
【００１１】
【図１】本考案のドライバーの操作補助具を示す平面図である。
【図２】本考案のドライバーの操作補助具を示す側面図である。
【図３】本考案のドライバーの操作補助具を示す側面断面図である。
【図４】本考案のドライバーの操作補助具の使用状態を示す説明面である。
【符号の説明】
【００１２】１      操作補助具
１ａ    本体体胴部
１０    ドライバー工具
１０ａ  把持部
１ｂ    貫通孔
【図１】
0003199460.tif 000003
【図２】
0003199460.tif 000004
【図３】
0003199460.tif 000005
【図４】
0003199460.tif 000006
(57)【要約】      （修正有）【課題】安全に耳掃除などに使用できる綿棒を提供する。【解決手段】軸体２と、軸体の一端または両端に繊維を巻き付け接着した繊維塊状部３とを備えた綿棒１であって、繊維塊状部３は、先端部に軸よりも大きい径を有する拡大頭部４が形成され、この拡大頭部の少なくとも外周縁部４１が、拡大頭部の先端部よりも柔らかく形成され、拡大頭部は、先端部から外周縁部にかけて球面状に傾斜している。【選択図】図１
0003199448.tif 000002
【実用新案登録請求の範囲】
【請求項１】
軸体と、該軸体の一端または両端に繊維を巻き付け接着した繊維塊状部とを備えた綿棒であって、
前記繊維塊状部は、先端部に前記軸よりも大きい径を有する拡大頭部が形成され、この拡大頭部の少なくとも外周縁部が柔らかく形成されていることを特徴とする綿棒。
【請求項２】
前記拡大頭部の外周縁部は、拡大頭部の先端部よりも柔らかく形成されている請求項１に記載の綿棒。
【請求項３】
前記拡大頭部は、先端部から外周縁部にかけて球面状に傾斜している請求項１または２に記載の綿棒。
【請求項４】
前記拡大頭部の少なくとも外周縁部に、耳垢を付着させる粘着剤が塗布された請求項１〜３のいずれかに記載の綿棒。
【考案の詳細な説明】
【技術分野】
【０００１】
本考案は、耳掃除などに用いる綿棒に関する。
【背景技術】
【０００２】
従来から、綿棒は、紙製や樹脂製の軸体の端部に繊維を塊状に巻き付け、接着して作成されている。このような綿棒の繊維塊状部は、球状や涙滴状などの形状を有しており、例えば耳かきなどに用いられる。
【０００３】
一方、特許文献１には、先端部の外周縁を側面視で円弧状に形成した樹脂製の耳かきが提案されている。この耳かきは、その拡大頭部の縁部で耳垢を掻き出すことができるとされている。
しかしながら、特許文献１の耳かきは、樹脂製で硬質であるため、外耳道を傷つける恐れがある。
【先行技術文献】
【特許文献】
【０００４】
【特許文献１】特開２００１−３５５号公報
【考案の概要】
【考案が解決しようとする課題】
【０００５】
本考案は、安全に耳掃除などに使用できる綿棒を提供することを目的とする。
【課題を解決するための手段】
【０００６】
本考案者は、上記課題を解決すべく鋭意研究を重ねた結果、本考案を完成するに至った。すなわち、本考案の綿棒は、以下の構成を有する。
（１）軸体と、該軸体の一端または両端に繊維を巻き付け接着した繊維塊状部とを備えた綿棒であって、前記繊維塊状部は、先端部に前記軸よりも大きい径を有する拡大頭部が形成され、この拡大頭部の少なくとも外周縁部が柔らかく形成されていることを特徴とする綿棒。
（２）前記拡大頭部の外周縁部は、拡大頭部の先端部よりも柔らかく形成されている（１）に記載の綿棒。
（３）前記拡大頭部は、先端部から外周縁部にかけて球面状に傾斜している（１）または（２）に記載の綿棒。
（４）前記拡大頭部の少なくとも外周縁部に、耳垢を付着させる粘着剤が塗布された（１）〜（３）のいずれかに記載の綿棒。
【考案の効果】
【０００７】
本考案の綿棒によれば、繊維塊状部は、端部に軸よりも大きい径を有する拡大頭部が形成され、この拡大頭部の少なくとも外周縁部が柔らかく形成されているため、拡大頭部は外耳道に対してソフトに接触し、外耳道を傷付けず耳垢を掻き出すことができ、安全に使用することができる。
【図面の簡単な説明】
【０００８】
【図１】本考案の一実施形態に係る綿棒の側面図である。
【図２】図１に示す綿棒の部分拡大図である。
【考案を実施するための形態】
【０００９】
以下、本考案の綿棒を、図面を参照して説明する。図１は本考案の一実施形態に係る綿棒１を示している。
【００１０】
図１に示すように、本考案の一実施形態に係る綿棒１は、軸体２と、該軸体２の一端または両端に繊維を巻き付け接着した繊維塊状部３とを備える。繊維塊状部３は、先端部に前記軸２の径よりも大きい径を有する拡大頭部４が形成される。この拡大頭部４の外周縁部４１は拡大頭部４の先端部よりも柔らかく形成されている
【００１１】
軸体２としては、例えば、紙軸、プラスチック軸、木軸などが挙げられる。紙軸の場合は、例えば、長方形に打ち抜きまたは切り抜きした紙シートの片面に接着剤を塗布し小さく巻き取ることによって製造される。
軸体２の断面形状としては、例えば、円形、楕円形、扁平形、角形等などが挙げられる。
また、繊維塊状部３内に挿入される前記軸体２の端面は、図２に示すように、面取り又は曲面状に形成された外縁角部２１であるのが好ましい。また、軸体２の外縁角部２１と繊維塊状部３の表面との距離を長く確保することにより、綿棒の使用時に、外耳道への当たりを柔らかくすることができる。
【００１２】
繊維塊状部３は、前記軸体２の一端または両端に、下糊を塗布した後、繊維を巻き付け接着して取り付けられる。繊維塊状部３が軸体２の一端のみに形成されている場合には、軸体２の他端側には、持ち易いような把持部や、繊維塊状部３とは異なる形状（例えば、スパイラル形状、スプーン形状など）の繊維塊状部（図示せず）などを設けてもよい。また、繊維塊状部３が軸体２の両端に形成されている場合には、それぞれの繊維塊状部３の寸法や形状などを異なるものにしてもよい。繊維塊状部３は、少なくとも外周縁部４１、好ましくは先端部５に粘着剤を塗布し、耳垢を付着させるようにしてもよい。
【００１３】
前記繊維塊状部３を形成する繊維としては、例えば、種々の天然繊維（綿、絹、羊毛等）、再生繊維（レーヨン、キュプラ等）または合成繊維（ポリエステル繊維、ポリプロピレン繊維等）などが挙げられるが、特に吸湿性のよい脱脂綿等の綿繊維が好適に使用される。これら繊維は単独で使用しても、または２種以上を混合して使用してもよい。
また、繊維塊状部３を軸体２と接着する際に用いる下糊としては、例えば、澱粉糊、ポリビニルアルコール、エチレン酢酸ビニル共重合体、カルボキシメチルセルロース等が挙げられる。
【００１４】
図２に示すように、繊維塊状部３には、前記軸体２の径よりも大きい径を有する、繊維を巻き付けた拡大頭部４が形成される。
拡大頭部４の形状は、特に限定されず、例えば、傘状、半球状、水滴型、円柱形型、たわら型、球型などが挙げられる。拡大頭部４の径は、前記軸体２の１．５〜４倍程度であるのがよい。
この拡大頭部４の少なくとも外周縁部４１は柔らかく形成されているので、外耳道を傷つけることなくソフトに接触し、安全に耳垢などを掻き取ることができる。
【００１５】
先端部４２より外周縁部４１を柔らかく形成するためには、例えば、繊維塊状部３の表面に塗布・含浸される接着剤は、塗布量を先端部４２より外周縁部４１を少なくすればよい。
前記接着剤の塗布方法としては、特に限定されず、例えば、ロール塗布、スプレー、シャワー、刷毛を使う方法などが挙げられる。接着剤は、繊維に含浸し、硬化させるものであるなら特に限定されず、例えば、ポリビニルアルコール（ＰＶＡ）などが挙げられる。
【００１６】
先端部４２よりも外周縁部４１が柔らかく形成されることで、使用者は、この綿棒１で安全に耳垢などを掻き取ることができる。
【符号の説明】
【００１７】
１    綿棒
２    軸体
３    繊維塊状部
４    拡大頭部
２１  外縁角部
４１  外周縁部
４２  先端部
【図１】
0003199448.tif 000003
【図２】
0003199448.tif 000004
(57)【要約】      （修正有）【課題】被害者本人では防ぐ事が難しい、電話を使用した特殊詐欺を防止する防犯機能付き電話機を提供する。【解決手段】受話器６の把持する部分に脈拍数を計測する計測部５を備え、電話機本体１には、平常時の脈拍数を記憶する記憶部を備え、平常時の数値を一定数を一定時間超過すると、携帯電話や警備会社に警告信号を発する発信部を備える。詐欺の電話を受けている被害者の、脈拍数の異常を検知して、それを警備会社や携帯電話に知らせる事で、詐欺被害を未然に防ぐ事に役立つ。【選択図】図１
0003199196.tif 000002
【実用新案登録請求の範囲】
【請求項１】
受話器の把持する部分に脈拍数を計測する計測部を備え、電話機本体には、平常時の脈拍数を記憶する記憶部を備え、平常時の数値を一定数を一定時間超過すると、携帯電話や警備会社に警告信号を発する発信部を備えた電話機
【請求項２】
受話器の把持する部分に脈拍数を計測する計測部を備え、電話機本体には、平常時の脈拍数を記憶する記憶部を備え、平常時の数値を一定数を一定時間超過すると、警告音や音声を発する発信部を備えた電話機。
【請求項３】
受話器の把持する部分に脈拍数を計測する計測部を備え、電話機本体には、平常時の脈拍数を記憶する記憶部を備え、平常時の数値を一定数を一定時間超過すると、振動を発する装置を備えた電話機。
【考案の詳細な説明】
【技術分野】
【０００１】  本考案は、脈拍計測と警報機の機能を備えた電話機に関するものである。
【背景技術】
【０００２】  電話中に、脈拍数が急に増加しても、外部に知らせる電話機がなかった。
【考案の概要】
【考案が解決しようとする課題】
【０００３】  特殊詐欺による被害が年々増加している。そのほとんどが、電話を使用してのものである。その様な不審な電話を受けている被害者は、その間は詐欺の電話とは気が付かない。
そこには、詐欺の手口が年々巧妙になっているのも一因だが、犯人の手口に被害者が、半ばパニック状態になり、正常な判断ができずに騙されるのである。
【課題を解決するための手段】
【０００４】  人間パニック状態の時は、脈拍数が平常時より相当上がっているのであるが、それを被害者本人は気が付かずにいるので、電話機に内蔵された脈拍計測部と、その数値を発信する発信部により、その状態を第三者に知らせる事ができる。
【考案の効果】
【０００５】  上述の様に、被害者本人がパニック状態で、脈拍数が異常に上がっている事を、第三者に知らせる事により、詐欺被害を未然に防ぐ事ができる。
【図面の簡単な説明】
【０００６】
【図１】本考案の防犯機能付き電話機の実施例を示す正面図である。
【図２】本考案の防犯機能付き電話機の実施例を示す側面図である。
【考案を実施するための形態】
【０００７】  本機に平常時の脈拍数を予め登録しておき、その数値を一定数を一定時間超過すると、警報信号を警備会社や携帯電話に発信したり、音声や警告音あるいは、振動によって使用者に数値の異常を知らせる。
【実施例】
【０００８】  以下、添付図面に従って一実施例を説明する。１は、脈拍計及び警報装置付き電話機本体、２は、警報信号を発する部分、３は、警告音や音声を発するスピーカー、４は、振動する装置が入った部分、５は、把持した時に脈拍数を計測する部分、６は、受話器。
【符号の説明】
【０００９】１    脈拍計及び警報装置付き電話機本体
２    警報信号を発する部分
３    スピーカー
４    振動装置
５    脈拍計内蔵部分
６    受話器
【図１】
0003199196.tif 000003
【図２】
0003199196.tif 000004
(57)【要約】      （修正有）【課題】通行人に受け取ってもらえる必受チラシを提供する。【解決手段】必受チラシ１ａを名刺サイズの２倍の大きさとし、片側の半分に名前、他の半分に顔写真、他の片面に本人の主義主張を印刷し、折り目２で左右半分に折るだけで名刺としても使えるようにした。【選択図】図２
0003199200.tif 000002
【実用新案登録請求の範囲】
【請求項１】
名刺サイズの２倍の大きさとし、片側の半分に名前、他の半分に顔写真等、他の片面に本人の主義主張等を印刷し、左右半分に折るだけで名刺としても使えるようにしたことを特徴とする必受チラシ。
【考案の詳細な説明】
【技術分野】
【０００１】
本考案は必受チラシに関する。
【背景技術】
【０００２】
選挙等においては、ポスターに加えてチラシもよく利用される。チラシは候補者の顔、選挙公約とか履歴等が記載されており、演説会等で一般人に配られる。チラシはなるべく大きくしたいのであるが、選挙規定でＡ４とされている。
【０００３】
Ａ４の紙には、候補者の顔、選挙公約が記載されている。このチラシは、通りかかる通行人に配られる。通行人は、このチラシに記載されている内容を読んで、その候補者の人となりを知る。
【考案の概要】
【考案が解決しようとする課題】
【０００４】
従来のチラシは、Ａ４の大きさのものが選挙規定である。しかし、Ａ４の紙は大きくてしかも薄いので、曲がり易く通行人は受け取りたがらない場合が多い。図１は公知のチラシを配布する様子を示している。１０は通行人、１１は選挙運動員である。選挙運動員１１が通行人１０にＡ４のチラシ１を配ろうとしても、受け取らないことが多い。
一方、名刺の２倍の大きさにすると、多くの人が受け取ってくれることを本考案者は複数回の実験により見出した。
【課題を解決するための手段】
【０００５】
本考案はこのような課題に鑑みてなされたものであって、名刺サイズの２倍の大きさで、該紙を半分に折れば名刺大となり、表に名前と顔写真を、裏に本人の主義主張等を印刷し、必要に応じて、２つに折りたたみ、名刺としても使えるようにしたことを特徴とする。
【考案の効果】
【０００６】
本考案によれば、普通のＡ４のチラシは大きくかさばるので、通行人はこのチラシを受け取ってくれないが、名刺２倍大だと手の中やポケットに入る。しかも、２つ折りにすると、名刺の代わりともなり、名刺入れに入れておくことができるので、受け取ってくれる。
【図面の簡単な説明】
【０００７】
【図１】公知のチラシの配布状態を示す図
【図２】本考案のチラシの使用例を示す図
【図３】本考案のチラシの受けとりを示す図
【図４】本考案のチラシの具体的な使用例を示す図
【考案を実施するための形態】
【０００８】
以下、図面を参照して本考案の実施例を詳細に説明する。
図２は本考案の使用例を示す図である。（Ａ）は折りたたみ前のチラシ状態を示す図、（Ｂ）は折りたたむ途中の状態を示す図、（Ｃ）は完全に折りたたんだ状態を示す図である。
（Ａ）において、１ａは本考案に係る必受チラシである。このチラシの真ん中には２つに折りたたむための折り目２が設けられている。このチラシ１ａは名刺の２倍の大きさなので、折り目２から半分にたたむだけで写真と名刺に変貌する。Ｑ面は名前（名刺）、Ｐ面は人物写真である。
【０００９】
名前の面Ｑと人物写真Ｐとが表面になり、更に全体の裏が主義主張を記載した面となる。
【００１０】
図３は、本考案のチラシの受けとりを示す図である。１０は通行人、１１は選挙運動員である。１ａは本考案にかかる必受チラシである。選挙運動員１１が必受チラシ１ａを渡すと、通行人１０はチラシ１ａを受け取る。これは本考案者が２５年かけて１３０万人を対象に実験したデータにより、このサイズを生み出したものである。チラシ１ａは小さくてかさばらないので、通行人１０はチラシ１を受け取ってもじゃまにはならない。また、情報量は名刺の４倍となる。また、折りたたんで名刺サイズにして渡してもよい。
【００１１】
後で読む場合、通行人はチラシをポケット１を受け取ってその内容を読む。これで候補者のことについて、知ることができる。名刺サイズにして名刺入れやポケットに入れておき、電車に乗った時等に取り出して読むことができる。これで、候補者の人となりを理解することができる。本考案によれば、通行人にチラシを受け取ってもらう頻度が高くなる。
【００１２】
上述の実施例では、チラシとして選挙運動に用いる場合を示したが、本考案は営業等の用途にも用いることができる。図２で説明すれば、Ｐ面の顔写真はそのままで、Ｑ面の名刺部分には氏名の他に所属とか役職とかを印刷する。裏面には、会社で製造している機械器具その他の商品に関する情報とかを印刷しておく。
図４は本考案の具体的な使用例を示す図である。この実施例は、本考案を選挙ポスターとして利用した場合を示している。（Ａ）は立候補者の名前と顔写真を示し、裏面は立候補者の選挙公約や履歴等を示している。図４は特定の候補者を示しているが、これに限るものではないことはいうまでもない。
なお、本考案によれば、チラシを商品の営業活動に利用することもできる。その外にも、種々の利用に用いることができるが、いずれも本考案に含まれるものである。
【産業上の利用可能性】
【００１３】
本考案は選挙用のチラシに用いてより効果を発揮するものであるが、営業等のその他の目的のチラシ等に用いることができる。
【符号の説明】
【００１４】
１        チラシ
１ａ      必受チラシ
２        折り目
１０      通行人
１１      選挙運動員
【図２】
0003199200.tif 000003
【図３】
0003199200.tif 000004
【図４】
0003199200.tif 000005
【図１】
0003199200.tif 000006
【手続補正書】
【提出日】平成27年5月14日(2015.5.14)
【手続補正１】
【補正対象書類名】実用新案登録請求の範囲
【補正対象項目名】全文
【補正方法】変更
【補正の内容】
【実用新案登録請求の範囲】
【請求項１】
名刺サイズの２倍の大きさとし、片側の半分に名前、他の半分に顔写真、他の片面に本人の主義主張を印刷し、左右半分に折るだけで名刺としても使えるようにしたことを特徴とする必受チラシ。
【手続補正書】
【提出日】平成27年6月11日(2015.6.11)
【手続補正１】
【補正対象書類名】実用新案登録請求の範囲
【補正対象項目名】全文
【補正方法】変更
【補正の内容】
【実用新案登録請求の範囲】
【請求項１】
名刺サイズの２倍の大きさとし、片側の半分に名前、他の半分に顔写真、他の片面に本人の主義主張を印刷し、左右半分に折るだけで名刺としても使えるようにしたことを特徴とする必受チラシ。
(57)【要約】      （修正有）【課題】ミニチュアボラードの上に、金属製、プラスチック製、または、木製のミニチュア船舶を載せた卓上ミニチュアボラードを提供する。【解決手段】卓上にのる小さい飾り金属製ボラード２であって、そのボラード２の上に、好みの小さい船舶（空母、潜水艦、客船、海賊船、セイリングヨット）１を載せた。【選択図】図１
0003199191.tif 000002
【実用新案登録請求の範囲】
【請求項１】
船舶係留ボラードを卓上型金属ボラードにし、ボラードの上に小さい模型の船舶（空母、潜水艦、客船、海賊船、セイリングヨット）を載せ、卓上ミニチェアボラードにする。
【考案の詳細な説明】
【技術分野】
【０００１】本考案は、ミニチェアボラードの上に金属製、プラシチック製、木製で作られたミニチェア船舶（空母、潜水艦、客船、海賊船、セイリングヨット）を載せた卓上ミニチェアボラードにする。
【背景技術】
【０００２】ミニチェアの船舶係留ボラードにする。
【考案の概要】
【０００３】船舶係留のボラードを卓上ミニチェアボラードにし、その上にミニチェア船舶（空母、軍艦、潜水艦、客船、海賊船、セイリングヨット）を載せた飾りボラード。
【考案が解決しようとする課題】
【０００４】卓上ミニチェアボラードを金属で作り、その上にミニチェア船舶を載せ飾りボラードを作る。
【課題を解決する為の手段】
【０００５】卓上ミニチェアボラードを金属で加工し、その上にミニチェア船舶を載せる。
【考案の効果】
【０００６】船舶を載せたミニチェアボラードは、船舶関連の仕事に携わった記念、船舶に乗船した記念、ギフト用にする。
【考案を実施するための形態】
金属でミニチェアボラードを加工し、その上にミニチェア船舶を載せる。
【実施例】
【０００７】金属でミニチェアボラードに加工し、その上にミニチェアの船舶（空母、戦艦、潜水艦、海賊船、セイリングヨット）を載せる。
【図面の簡単な説明】
【０００８】
【図１】ミニチェアボラードを金属で加工し、その上にミニチェアの船舶を載せる。
【図２】本考案のボラードの詳細面図である。
【符号の説明】
【０００９】１    ミニチェア船舶
２    ミニチェアボラード
３    ネームプレート付きボード
４    平面図  ボラード
５    側面図  ボラード
６    平面図  ネームプレート付きボード
７    側面図  ボード
【図１】
0003199191.tif 000003
【図２】
0003199191.tif 000004
【手続補正書】
【提出日】平成27年3月24日(2015.3.24)
【手続補正１】
【補正対象書類名】実用新案登録請求の範囲
【補正対象項目名】全文
【補正方法】変更
【補正の内容】
【実用新案登録請求の範囲】
【請求項１】
ミニチェアボラード、卓上にのる金属製ボラードにし、ボラードの上に、好みの小さい模型の船舶、模型の空母、模型の潜水艦、模型の客船、模型の海賊船、又は模型のセイリングヨットを一つボラードに載せる、金属製造のミニチェアボラードにする。
【手続補正書】
【提出日】平成27年5月26日(2015.5.26)
【手続補正１】
【補正対象書類名】実用新案登録請求の範囲
【補正対象項目名】全文
【補正方法】変更
【補正の内容】
【実用新案登録請求の範囲】
【請求項１】
卓上にのる金属製のミニチュアボラードであって、ミニチュアボラードの上に、好みの小さい模型の船舶、模型の空母、模型の潜水艦、模型の客船、模型の海賊船、又は模型のセイリングヨットのいずれか一つを載置可能としたことを特徴とする、金属製のミニチュアボラード。
(57)【要約】      （修正有）【課題】大きなスペースを使わず、自分で記載や入力する必要もなく、貼るだけで身体的動作方法の表示が可能となるステッカーを提供する。【解決手段】表面に身体的動作方法を示す表示を有し、裏面に接着手段が付いた身体的動作方法表示ステッカーである。身体的動作は、図、写真、文章、イラストの１つまたは、２つ以上より表記し、表記内容は、たとえば、正しい歩行動作、バランストレーニング動作、ウエイトトレーニング方法、ダイエット方法、敏捷性に関するトレーニング方法、身体介助方法、各種技術動作又は方法などである。【選択図】図１
0003199198.tif 000002
【実用新案登録請求の範囲】
【請求項１】
表面に身体的動作方法を、裏面に接着手段が付いた身体的動作方法表示ステッカー。
【請求項２】
前記身体的動作方法は、図、写真、文章、イラスト、記号、の１つ、または、２つ以上よりなる請求項1に記載の身体的動作方法表示ステッカー。
【考案の詳細な説明】
【技術分野】
【０００１】
本考案は、身体的動作方法の文言やポーズ、又は両方が表記されたステッカーである。昨今、日本人の健康状態の悪化、健康意識の低下や運動不足による健康被害が問題となっている。そして多くの人が何かしらの健康に対する改善手段を取りたいと考えているが、実践できていないことも多々ある。健康に関しては、日々の生活の中で意識すれば大きく改善される事柄も多く、屋内、屋外それぞれの空いたスペース、人の視界に入りやすいスペースに身体的動作方法のステッカーを貼ることで、健康に対する意識を持ってもらい、その場で各種身体的動作を行なってもらうためのステッカーである。ステッカーであることで簡単に着脱が可能となり、適材適所であらゆる動作方法を表示することが可能となる。
【背景技術】
【０００２】
動作方法表示ステッカーを使用することで大きなスペースを使わず、自分で記載や入力する必要もなく、ステッカーを貼るだけで表示が完結させることが可能となる考案である。
【先行技術文献】
【特許文献】
【０００３】
【特許文献１】特許公開２０１０−２５２９４５
【特許文献２】特許公開２００４−１７７４２８
【考案の概要】
【考案が解決しようとする課題】
【０００４】
これまでは、健康に対する指南が書かれた掲示物を貼るだけで、具体的な方法を掲示されていることが少なく、アドバイスにしかなっていないことが多々あった。それらの多くは、スペースを広範囲に使ったり、手書きをしなければならなかったりしなければならず、壁などに掲示するためには掲示物と貼り付けるための物品を使用しなければならなかった。
【課題を解決するための手段】
【０００５】
第1の考案は、表面に身体的動作方法を、裏面に接着手段が付いた身体的動作方法表示ステッカーである。
第２の考案は、第1の考案において、前記身体的動作方法は、図、写真、文章、イラスト、記号、の１つ、または、２つ以上よりなる請求項1に記載の身体的動作方法表示ステッカーである。
「考案の効果」
【０００６】
歩行時には、歩行スペース周辺に歩行に関する内容の動作方法を記載したステッカーを貼り、静止した立位時には、立位スペース周辺に立位で出来る動作方法を記載したステッカーを貼り、座位の時には座位周辺スペース周辺に座位に関する内容の動作方法を記載したステッカーを貼り、臥位時には、周辺スペースに臥位に関する内容の動作方法を記載したステッカーを貼るなど、必要な場所に適切な動作内容を簡単に掲示することが出来る。
【図面の簡単な説明】
【０００７】
【図１】本考案の実施例を示した図である(表の面)
【図２】本考案の実施例を示した図である(裏の面)
【考案を実施するための形態】
【実施例】
【０００８】
図面1は様々な身体的動作方法が表示されたステッカーである。図面ａは正しい立位時の姿勢の図と注意点が記載されている。図面ｂはストレッチの図と注意点が記載されている。図面ｃは正しい介助方法の姿勢が記してあり、図面ｄは正しい走行姿勢が記してあり、それぞれ該当する場所に当てはめることが出来るよう身体的動作方法が分けられている。裏面は接着手段とする。
実施例として、正しい歩行動作、バランストレーニング動作、ウエイトトレーニング方法、ダイエット方法、敏捷性に関するトレーニング方法、身体介助方法、各種技術動作又は方法などにも応用できる。
図面2は裏面の接着手段である。図面ｅは身体的動作方法表示ステッカー本体で接着素材が前面に貼られている。図面ｆは接着素材を保護していた紙である。
【産業上の利用可能性】
【０００９】
ステッカー業界に新たな市場と価値を提供する
【符号の説明】
【００１０】
・  本考案の身体的動作方法表示ステッカーの表面
ａ  正しい立位時の姿勢を記した図と説明
ｂ  ストレッチトレーニングの図と説明
ｃ  正しい介助動作
ｄ  正しい走行動作
・  本考案の身体的動作方法表示ステッカーの裏面
ｅ  裏面本体
ｆ  接着素材を保護していた紙
【図１】
0003199198.tif 000003
【図２】
0003199198.tif 000004
【手続補正書】
【提出日】平成27年6月10日(2015.6.10)
【手続補正１】
【補正対象書類名】実用新案登録請求の範囲
【補正対象項目名】全文
【補正方法】変更
【補正の内容】
【実用新案登録請求の範囲】
【請求項１】
表面に身体的動作方法を示す表示を有し、裏面に接着手段が付いた身体的動作方法表示ステッカー。
【請求項２】
前記身体的動作方法を示す表示は、図、写真、文章、イラスト、記号の１つ又は、２つ以上よりなる請求項１に記載の身体的動作方法表示ステッカー。
(57)【要約】      （修正有）【課題】布団や毛布にカバーを早く、きっちりと装着し、カバーの四隅に溜まっていた，塵がたまら無いカバーを提供する。【解決手段】布団や毛布のカバーＡの四隅をＬ字型ないしは、かぎ型の屈曲部に上布１、下布２、を縫わずに開けておき、装着後、四隅を上下、閉じる為に面ファスナー３、４を上布１と、下布２にＬ字型ないしは、かぎ型の屈曲部につけ、布団や毛布をカバーＡに入れる、入れ口５も面ファスナー６を上下つける。【選択図】図１
0003199194.tif 000002
【実用新案登録請求の範囲】
【請求項１】
布団や毛布等のカバーの四隅を「」型に上布、下布、を縫わずに開けておく。装着後、四隅を上下、閉じる為にマジックテープを上布と、下布に「」型につける。
布団や毛布等をカバーに入れる、入り口もマジックテープを上下つける。
【考案の詳細な説明】
【技術分野】
【０００１】本考案は、布団や毛布等のカバーの四隅の構造に関するものである。
【背景技術】
【０００２】従来の布団や毛布等のカバーは、装着時、時間が掛かり、うまく四隅に収まりずらい、又カバーの四隅に塵がたまっていた、以上の難点を解消する。
【考案の概要】
【考案が解決しようとする課題】
【０００３】布団や毛布等にカバーを早く、きっちりと装着し、カバーの四隅に溜まっていた，塵がたまら無い。
【課題を解決するための手段】
【０００４】本考案は、布団や毛布等のカバーの四隅を上布と下布を縫わずに開けておきそこから手を入れて布団や毛布等の隅を引っ張って、整え、後は、布団や毛布等の四隅か汚れ無いように、四隅のマジックテープをとめる。
【考案の効果】
【０００５】上述の様に、本考案の布団や毛布等のカバーの四隅を開けて、マジックテープを付ける事で、手を入れて引っ張るので、早く、きつちりと装着し、カバーの四隅に溜まっていた、塵が出ない。
【図面の簡単な説明】
【０００６】
【図１】四隅を開けた、布団や毛布等のカバー
【考案を実施するための形態】
【０００７】布団や毛布等のカバーの四隅を上布、下布縫わずに開けておき、上下に閉じる為のマジックテープをつける。
【実施例】
【０００８】以下、添付図面に従って実施例を説明します。Ａは布団や毛布等のカバー本体、１はカバーの四隅を上布、２はカバーの四隅の下布、布団や毛布等にカバーＡを装着するのに、四隅の１と２の開き部分より手を入れ，中の布団や毛布等の四隅を引っ張って、整えて、四隅のマジックテープ３と４合わせて閉じる。
【符号の説明】
【０００９】Ａ  布団や毛布等のカバー
１  カバーの四隅の上布
２  カバーの四隅の下布
３  カバーの四隅の上布のマジックテープ
４  カバーの四隅の下布のマジックテープ
５  布団、毛布等の入れ口
６  入れ口をとめる、マジックテープ
【図１】
0003199194.tif 000003
【手続補正書】
【提出日】平成27年6月10日(2015.6.10)
【手続補正１】
【補正対象書類名】実用新案登録請求の範囲
【補正対象項目名】全文
【補正方法】変更
【補正の内容】
【実用新案登録請求の範囲】
【請求項１】
布団や毛布のカバーの四隅をL字型ないしは、かぎ型の屈曲部に上布、下布、を縫わずに開けておき、装着後、四隅を上下、閉じる為に面ファスナーを上布と、下布にL字型ないしは、かぎ型の屈曲部につけ、布団や毛布をカバーに入れる、入り口も面ファスナーを上下つけたカバー。
【手続補正３】
【補正対象書類名】明細書
【補正対象項目名】０００１
【補正方法】変更
【補正の内容】
【０００１】    本考案は、布団や毛布のカバーの四隅の構造に関するものである。
【手続補正４】
【補正対象書類名】明細書
【補正対象項目名】０００２
【補正方法】変更
【補正の内容】
【０００２】      従来の布団や毛布のカバーは装着時、時間が掛かり、うまく四隅に収まりづらい、又カバーの四隅に塵がたまっていた、以上の難点を解消する。
【手続補正５】
【補正対象書類名】明細書
【補正対象項目名】０００３
【補正方法】変更
【補正の内容】
【０００３】 布団や毛布にカバーを早く、きっちりと装着し、カバーの四隅に溜まっていた、塵がたまら無い。
【手続補正６】
【補正対象書類名】明細書
【補正対象項目名】０００４
【補正方法】変更
【補正の内容】
【０００４】            本考案は布団や毛布のカバーの四隅を上布と下布を縫わずに開けておきそこから手を入れて布団や毛布の隅を引っ張って、整え、後は、布団や毛布の四隅が汚れ無いように、四隅の面ファスナーをとめる。
【手続補正７】
【補正対象書類名】明細書
【補正対象項目名】０００５
【補正方法】変更
【補正の内容】
【０００５】      上述の様に、本考案の布団や毛布のカバーの四隅を開けて、面ファスナーを付ける事で、手を入れて引っ張るので、早く、きっちりと装着し、カバーの四隅に溜まっていた、塵が出ない。
【手続補正８】
【補正対象書類名】明細書
【補正対象項目名】０００６
【補正方法】変更
【補正の内容】
【０００６】
【図１】四隅を開けた、布団や毛布のカバー
【手続補正９】
【補正対象書類名】明細書
【補正対象項目名】０００７
【補正方法】変更
【補正の内容】
【０００７】 布団や毛布のカバーの四隅を上布、下布を縫わずに開けておき、上下に閉じる為の面ファスナーをつける。
【手続補正１０】
【補正対象書類名】明細書
【補正対象項目名】０００８
【補正方法】変更
【補正の内容】
【０００８】        以下、添付図面に従って実施例を説明します。Ａは布団や毛布のカバー      本体、１はカバーの四隅の上布、２はカバーの四隅の下布、布団や毛布にカバーＡを装着するのに、四隅の１と２の開き部分より手を入れ、中の布団や毛布の四隅を引っ張って、整えて、四隅の面ファスナー３と４を合わせて閉じる。
【手続補正１１】
【補正対象書類名】明細書
【補正対象項目名】０００９
【補正方法】変更
【補正の内容】
【０００９】  Ａ  布団や毛布のカバー  １  カバーの四隅の上布  ２  カバーの四隅の下布  ３  カバーの四隅の上布の面ファスナー  ４  カバーの四隅の下布の面ファスナー  ５  布団や毛布の入れ口  ６  入れ口をとめる、面ファスナー
(57)【要約】      （修正有）【課題】鉄道レールを切断し、そのレールの上に乗るミニチュア鉄道車輌を載せた記念や趣味用の卓上飾りレールを提供する。【解決手段】レール固定板４と、所定の幅に切断された鉄道レール３であって、レール固定板上に固定される鉄道レールと、鉄道レールの上に載置されたミニチュア鉄道車輌１からなることを特徴とする。【選択図】図１
0003199192.tif 000002
【実用新案登録請求の範囲】
【請求項１】
鉄道レールを卓上の飾りプレートに載るようにレールを切断し、そのレールの上に、ミニチュア蒸気機関車、ミニチュア電気機関車又はミニチュア新幹線車をレール上に横向き又は縦向きに載せ、卓上飾りレールにする。
【考案の詳細な説明】
【技術分野】
【０００１】本考案は、切断レールの上にミニチュア蒸気機関車、ミニチュア電気機関車又はミニチュア新幹線を載せた飾りレールにする。
【背景技術】
【０００２】鉄道レールを卓上に乗るようにレールを切断する。
【考案の概要】
【０００３】鉄道レールを切断し卓上レールにし、その上にミニチュア蒸気機関車、ミニチュア電気機関車又はミニチュア新幹線車を載せる。
【考案が解決しようとする課題】
【０００４】レールを卓上に乗る様に切断し、その上にミニチュア鉄道車輌を載せる。
【課題を解決する為の手段】
【０００５】切断レールを加工し、その上にミニチェア鉄道車輌を載せる。
【考案の効果】
【０００６】ミニチュア鉄道機関車を載せた鉄道レールは、鉄道車輌の仕事に携わった記念、乗車した記念、鉄道趣味用にする。
【考案を実施するための形態】
鉄道レールを切断し、その上にミニチュア車輌を載せる。
【実施例】
【０００７】鉄道レールを切断加工し、その上にミニチュアの蒸気機関車、ミニチュア電気機関車又はミニチュア新幹線車を載せる。
【図面の簡単な説明】
【０００８】
【図１】鉄道レールを切断加工し、その上にミニチュア蒸気機関車を載せる。
【図２】本考案の卓上鉄道レール詳細面図である。
【符号の説明】
【０００９】１    ミニチュア蒸気機関車
２    機関車支え棒
３    レール
４    レール固定板
５    ネームプレート
【図１】
0003199192.tif 000003
【図２】
0003199192.tif 000004
【手続補正書】
【提出日】平成27年3月24日(2015.3.24)
【手続補正１】
【補正対象書類名】実用新案登録請求の範囲
【補正対象項目名】全文
【補正方法】変更
【補正の内容】
【実用新案登録請求の範囲】
【請求項１】
鉄製卓上飾りレール、鉄道レールを卓上にのるように１０ｃｍ幅に切断し、切断レールを鉄板上（長さ７ｃｍｘ幅７ｃｍ、厚さ１ｃｍ）に載せ、レールと鉄板をねじで固定し、その切断レールの上に、好みのミニチェア蒸気機関車、ミニチェア電気機関車、又はミニチェア新幹線車輌を一つ載せる鉄製の卓上飾りレール。
【手続補正書】
【提出日】平成27年5月26日(2015.5.26)
【手続補正１】
【補正対象書類名】実用新案登録請求の範囲
【補正対象項目名】全文
【補正方法】変更
【補正の内容】
【実用新案登録請求の範囲】
【請求項１】
レール固定板と、所定の幅に切断された鉄道レールであって、前記レール固定板上に固定される鉄道レールと、前記鉄道レールの上に載置されたミニチュア鉄道車輌からなる卓上飾りレール。